(57)【特許請求の範囲】
【請求項１】
メモリ性を有する表示手段と、
所定の処理が実行されたか否かを検出する検出手段と、
前記検出手段により所定の処理が実行されたと検出された場合に、所定の処理が実行されたことを記憶する状態記憶手段と、
電源オフ時、前記状態記憶手段により所定の処理が実行されたことが記憶されているか否かを判別する状態判別手段と、
前記検出手段により所定の処理が実行されたと検出されてから該携帯端末装置が電源オフされるまでの時間を計測する計時手段と、
前記計時手段により計測されている時間があらかじめ設定された時間以内であるか否かを判別する時間判別手段と、
前記状態判別手段により所定の処理が実行された状態であると判別された場合で且つ前記時間判別手段によりあらかじめ設定された時間以内であると判別された場合に前記実行された所定の処理に対応する情報を前記表示手段に表示した後、当該携帯端末装置の電源をオフする制御手段と、
を具備することを特徴とする携帯端末装置。
【請求項２】
前記所定の処理は他の通信端末装置との間で実行される通信であることを特徴とする請求項１に記載の携帯端末装置。
【請求項３】
前記通信は非接触通信であり、該非接触通信を介して所定の予約を実行することを特徴とする請求項２に記載の携帯端末装置。
【請求項４】
前記通信は非接触通信であり、該非接触通信を介して特定施設へ入退場することを特徴とする請求項２に記載の携帯端末装置。
【請求項５】
前記所定の処理に対応する情報を記憶する情報記憶手段を更に具備し、
前記制御手段は、前記情報記憶手段に記憶されている該実行された所定の処理に対応する情報を前記表示手段に表示することを特徴とする請求項１乃至４いずれかに記載の携帯端末装置。
【請求項６】
前記検出手段により所定の処理が実行されたと検出された際に所定の処理に対応する情報を取得する取得手段を更に具備し、
前記制御手段は、前記取得手段に取得された該実行された所定の処理に対応する情報を前記表示手段に表示することを特徴とする請求項１乃至４いずれかに記載の携帯端末装置。
【請求項７】
電池残量があらかじめ設定された値を下回るか否を判別する電池残量判別手段を更に具備し、
前記制御手段は、前記電池残量判別手段によりあらかじめ設定された値を下回ると判別された場合に電源をオフすることを特徴とする請求項１乃至４いずれかに記載の携帯端末装置。
【請求項８】
携帯端末装置のコンピュータに、
メモリ性を有する表示機能と、
所定の処理が実行されたか否かを検出する検出機能と、
前記検出機能により所定の処理が実行されたと検出された場合に、所定の処理が実行されたことを記憶する記憶機能と、
電源オフ時、前記記憶機能により所定の処理が実行されたことが記憶されているか否かを判別する第１判別機能と、
前記検出機能により所定の処理が実行されたと検出されてから該携帯端末装置が電源オフされるまでの時間を計測する計測機能と、
前記計測機能により計測されている時間があらかじめ設定された時間以内であるか否かを判別する第２判別機能と、
前記第１判別機能により所定の処理が実行された状態であると判別された場合で且つ前記第２判別機能によりあらかじめ設定された時間以内であると判別された場合に前記実行された所定の処理に対応する情報を前記表示機能に表示した後、当該携帯端末装置の電源をオフする電源オフ機能と、
を実現させるプログラム。
【発明の詳細な説明】
【技術分野】
【０００１】
本発明は、メモリ性を有する表示手段を備える携帯端末装置、及びプログラムに関する。
【背景技術】
【０００２】
航空券やコンサートや演劇といった公演等のチケットを電子化し、ネットワークを介した予約されたチケット情報を携帯端末装置と電子チケットのサービス管理装置に記憶しておき、飛行機の搭乗時や公演会場への入場時に携帯端末装置をチェックイン装置にかざし、携帯端末装置に記憶されている予約情報と電子チケットサービス管理装置に記憶されている予約情報を照合し、合致する場合は入場が許可されるという、紙によるチケットを使用しない電子チケットサービスが広まってきている。
【０００３】
従来技術として、携帯電話機を利用してチケットレスで予約とチェックインを可能とするチケットレスシステムが提案されている（例えば、特許文献１参照）。  
また、携帯情報端末を利用してチケットレスで予約とチェックインを可能とし、更に携帯情報端末に印字部を備え、予約内容を印字することを可能とするペーパーレスチェックインシステムが提案されている（例えば、特許文献２参照）。
【０００４】
【特許文献１】特開２００２−１０９３４３号公報
【特許文献２】特開２００２−９２４４４号公報
【発明の開示】
【発明が解決しようとする課題】
【０００５】
しかしながら、従来技術においてはチケットレスのため座席番号等のチケット情報を確認するためには携帯電話機の画面に表示するか、プリントする必要がある。画面に表示して確認する場合は携帯電話機の電源をオンし、チケット情報を呼び出して表示する必要があり、飛行機への搭乗や公演会場への入場等で電源オフを求められる或いは電池残量不足で電源オフしてしまうと、チケット情報が確認できなくなってしまう。また、特許文献２のようにプリントする場合は、チケットレスであるにもかかわらずプリンタやプリント用紙が必要であるという問題がある。
【０００６】
本発明は、このような事情に鑑みてなされたもので、ユーザ操作等により携帯端末装置の電源をオフした場合でも情報を確認できる携帯端末装置及びプログラムを提供することを目的とする。
【課題を解決するための手段】
【０００７】
上記目的達成のため、請求項１に記載の発明は、メモリ性を有する表示手段と、所定の処理が実行されたか否かを検出する検出手段と、前記検出手段により所定の処理が実行されたと検出された場合に、所定の処理が実行されたことを記憶する状態記憶手段と、電源オフ時、前記状態記憶手段により所定の処理が実行されたことが記憶されているか否かを判別する状態判別手段と、前記検出手段により所定の処理が実行されたと検出されてから該携帯端末装置が電源オフされるまでの時間を計測する計時手段と、前記計時手段により計測されている時間があらかじめ設定された時間以内であるか否かを判別する時間判別手段と、前記状態判別手段により所定の処理が実行された状態であると判別された場合で且つ前記時間判別手段によりあらかじめ設定された時間以内であると判別された場合に前記実行された所定の処理に対応する情報を前記表示手段に表示した後、当該携帯端末装置の電源をオフする制御手段と、を具備することを特徴とする。
更に、コンピュータに対して、上述した請求項１記載の発明に示した主要機能を実現させるためのプログラムを提供する（請求項８記載の発明）。
【０００９】
また、好ましい態様として、例えば請求項２記載のように、前記所定の処理は他の通信端末装置との間で実行される通信であるようにしてもよい。
【００１０】
また、好ましい態様として、例えば請求項３記載のように、前記通信は非接触通信であり、該非接触通信を介して所定の予約を実行するようにしてもよい。
【００１１】
また、好ましい態様として、例えば請求項４記載のように、該非接触通信を介して特定施設へ入退場するようにしてもよい。
【００１２】
また、好ましい態様として、例えば請求項５記載のように、前記所定の処理に対応する情報を記憶する情報記憶手段を更に具備し、前記制御手段は、前記情報記憶手段に記憶されている該実行された所定の処理に対応する情報を前記表示手段に表示するようにしてもよい。
【００１３】
また、好ましい態様として、例えば請求項６記載のように、前記検出手段により所定の処理が実行されたと検出された際に所定の処理に対応する情報を取得する取得手段を更に具備し、前記制御手段は、前記取得手段に取得された該実行された所定の処理に対応する情報を前記表示手段に表示するようにしてもよい。
【００１５】
また、好ましい態様として、例えば請求項７記載のように、電池残量があらかじめ設定された値を下回るか否を判別する電池残量判別手段を更に具備し、前記制御手段は、前記電池残量判別手段によりあらかじめ設定された値を下回ると判別された場合に電源をオフするようにしてもよい。
【発明の効果】
【００１６】
本発明によれば、所定の処理が実行された状態で携帯端末装置が電源オフされた場合に、該所定の処理に対応する情報を、メモリ性を有する表示手段に表示するようにしたことにより、ユーザ操作等により電源をオフした場合でも情報を確認できるという効果がある。
【発明を実施するための最良の形態】
【００１７】
以下、図１〜図９を参照して本発明の実施形態を説明する。
この実施形態は、携帯端末装置として携帯電話機に適用した場合を例示したもので、図１はこの実施形態を説明するシステムのブロック図である。同図に示すように、このシステムは、携帯電話機１００、電子チケットサービス管理装置２００、チェックイン装置３００、ネットワーク４００、入場装置５００を含んで構成されている。ネットワーク４００は、携帯電話機１００と電子チケットサービス管理装置２００、チェックイン装置３００と電子チケットサービス管理装置２００とを通信可能に接続する、インターネット等の有線又は無線通信方式の通信ネットワークである。
【００１８】
携帯電話機１００は、音声通話機能、電子メール機能、インターネット接続機能（Ｗｅｂアクセス機能）のほか、非接触ＩＣ機能などを備えている。非接触ＩＣ機能は、対応する非接触ＩＣのリーダライタ装置との間で無線通信をおこなう。
【００１９】
制御部１０１は、二次電池を備えた電源部１０２からの電力供給によって動作し、記憶部１０３内の各種のプログラムに応じてこの携帯電話機の全体動作を制御するもので、この制御部１０１にはＣＰＵ（中央演算処理装置）やメモリなどが設けられている。記憶部１０３は、内部メモリで、プログラム領域とデータ領域とを有し、このプログラム領域には、後述する図６〜図９に示す動作手順に応じて本実施例を実現するためのプログラムが格納されている。また、記憶部１０３のデータ領域には、後述する予約情報メモリＲＩ、実行予約メモリＥＲ、制限時間メモリＬＴ、電源オフ閾値メモリＰＯ、スケジュール情報メモリＳＣなどが格納されている。
【００２０】
通信部１０４は、無線部、ベースバンド部、多重分離部などを備え、例えば、音声通話機能、電子メール機能、インターネット接続機能の動作時に最寄りの基地局との間でデータの送受信を行うもので、音声通話機能の動作時にはベースバンド部の受信側から信号を取り込んで受信ベースバンド信号に復調したのち、電話部１０５を介して通話用スピーカＳＰから音声出力させ、また、通話用マイクＭＣからの入力音声データを電話部１０５から取り込み、送信ベースバンド信号に符号化したのち、ベースバンド部の送信側に与えてアンテナから発信出力させる。一方、電子メール機能、インターネット接続機能などによって通信部１０４を介して受信取得した表示データは、メモリ性を有する電子ペーパなどを使用した高精細な表示部１０６に与えられて表示出力される。
【００２１】
操作部１０７は、ダイヤル入力、文字入力、コマンド入力などを行うもので、制御部１０１は、操作部１０７からの操作信号に応じた処理として、例えば、電話発信処理など、各種の処理を実行する。報知部１０８は、サウンドスピーカ、振動モータ、ＬＥＤ（発光ダイオード）などを備えたもので、着信報知時に駆動されるほか、アラーム報知時にも駆動される。時計部１０９は、現在日時を得たり、経過時間を計測したりするもので、制御部１０１は、時計部１０９をアクセスして現在日時を取得する。
【００２２】
非接触ＩＣ部１１０は、例えば、ISO/IEC 14443やＮＦＣ（Near Field Communication）などといった近接無線通信規格に準拠した非接触ＩＣチップなどから構成され、対応する非接触ＩＣのリーダライタ装置にアンテナが近接されることで励起され、当該リーダライタ装置との無線通信をおこなう。
【００２３】
電子チケットサービス管理装置２００は、ネットワーク４００を介して予約操作された電子チケット情報を記憶管理する。
【００２４】
制御部２０１は、記憶部２０２内の各種のプログラムに応じてこの電子チケットサービス管理装置２００の全体動作を制御するもので、この制御部２０１にはＣＰＵ（中央演算処理装置）やメモリなどが設けられている。記憶部２０２は、プログラム領域とデータ領域とを有し、このプログラム領域には、電子チケットサービスの処理を実現するためのプログラムが格納されている。また、記憶部２０２のデータ領域には、管理する予約情報などが格納されている。
通信部２０３は、ネットワーク４００を介して携帯電話機１００とチェックイン装置２００との間でデータの送受信を行う。
【００２５】
チェックイン装置３００は、携帯電話機１００と電子チケットサービス管理装置２００との間でチェックイン処理を行う。
【００２６】
制御部３０１は、記憶部３０２内の各種のプログラムに応じてこのチェックイン装置３００の全体動作を制御するもので、この制御部３０１にはＣＰＵ（中央演算処理装置）やメモリなどが設けられている。記憶部３０２は、プログラム領域を有し、このプログラム領域には、チェックインの処理を実現するためのプログラムが格納されている。通信部３０３は、ネットワーク４００を介して電子チケットサービス管理装置との間で通信を行う。非接触ＩＣ部３０４は、上述した非接触ＩＣのリーダライタ装置で、携帯電話機１００の非接触ＩＣ部１１０との間で近接の無線通信を行う。
【００２７】
入場装置５００は、携帯電話機１００との間で入場処理を行う。
【００２８】
制御部５０１は、記憶部５０２内の各種のプログラムに応じてこの入場装置５００の全体動作を制御するもので、この制御部５０１にはＣＰＵ（中央演算処理装置）やメモリなどが設けられている。記憶部５０２は、プログラム領域とデータ領域とを有し、このプログラム領域には、施設入場処理を実現するためのプログラムが格納されている。また、記憶部５０２のデータ領域には、施設対応情報などが格納されている。非接触ＩＣ部５０３は、非接触ＩＣのリーダライタ装置で、携帯電話機１００の非接触ＩＣ部１１０との間で近接の無線通信を行う。
【００２９】
図２は、予約情報メモリＲＩを説明するための図である。
この予約情報メモリＲＩは、航空チケットの場合は、日時、航空会社、路線、座席番号、公演の場合は、日時、公演名、会場名、座席番号、といった予約情報をＮｏ．と関連付けて記憶するものである。
【００３０】
図３は、実行予約メモリＥＲ、制限時間メモリＬＴ、電源オフ閾値メモリＰＯを説明するための図である。
図３（Ａ）は、実行予約メモリＥＲを示した図である。この実行予約メモリＥＲは、予約実行のチェックインが行われた予約の予約情報メモリＲＩに関連付けられて記憶されているＮｏ．を記憶するものである。
図３（Ｂ）は、制限時間メモリＬＴを示した図である。この制限時間メモリＬＴは、予約実行のチェックインが行われた、特定施設に入場した、或いはスケジュールアラームが報知されたために携帯電話機１００の電源をオフしたのか、その他の理由で電源オフしたのかを判別するための制限時間を記憶するものである。
図３（Ｃ）は、電源オフ閾値メモリＰＯを示した図である。この電源オフ閾値メモリＰＯは、携帯電話機１００を保護するために電源を強制オフする閾値となる電圧を記憶するものである。
【００３１】
図４は、スケジュール情報メモリＳＣを示した図である。このスケジュール情報メモリＳＣはスケジュールの内容、開始時刻、終了時刻、アラーム通知フラグＡＦ、表示データを記憶するものである。
アラーム通知フラグＡＦは値が１の場合は開始時刻より、例えば５分前にアラーム通知を行い、０の場合は通知を行わない。
表示データは電源オフに際し表示部１０６に表示するデータである。
【００３２】
図５（Ａ）〜（Ｃ）は表示例を示したものである。
図５（Ａ）は、予約実行のチェックインを行った予約情報を表示させた場合の表示例を示したものである。
図５（Ｂ）は、施設入場を行った際に取得した施設対応情報を表示させた場合の表示例を示したものである。
図５（Ｃ）は、スケジュール情報を表示させた場合の表示例を示したものである。
【００３３】
次に、この実施形態における携帯電話機の動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００３４】
先ず、制御部１０１は、通信部１０４を作動させて現在位置を登録する起動処理を行い（ステップＳ１）、予約実行フラグＲＦ、入場フラグＥＦ、及びスケジュールフラグＳＦに０をセットし（ステップＳ２）、所定の待受画像を読み出して待ち受け画面として表示させながら音声通話の待ち受け状態となる（ステップＳ３）。
予約実行フラグＲＦは、予約実行のチェックインが行われたか否かを判別するために、入場フラグＥＦは、特定施設に入場したか否かを判別するために、スケジュールフラグＳＦはアラーム報知されたスケジュール情報があったが否かを判別するために使用される。
【００３５】
この待ち受け状態において音声通話の着信ありを検出すると（ステップＳ４でＹＥＳ）、報知部１０８を駆動させて着信メロディなどを発生させる着信報知を行ったのち、着信応答操作（オフフック操作）に応答して（ステップＳ５でＹＥＳ）、通話可能状態とするために通話処理を行う（ステップＳ６）。そして、オンフック操作に応答して（ステップＳ７でＹＥＳ）、回線切断処理を行ったのち（ステップＳ８）、待ち受け状態に戻る（ステップＳ３）。
【００３６】
また、待ち受け状態において電子チケット予約操作が検出された場合には（ステップＳ９でＹＥＳ）、通信部１０４と電子チケットサービス管理装置２００の通信部２０３との間でネットワーク４００を介して通信の確立を行い、通信が確立し（ステップＳ１０でＹＥＳ）、ユーザによる電子チケット予約の操作が行われると（ステップＳ１１）、電子チケットサービス管理装置２００の制御部２０１により電子チケット予約処理が行なわれ、処理結果が記憶部２０３に記憶される、とともに携帯電話機１００の記憶部１０３の予約情報メモリＲＩに予約情報を図２に示すように記憶する（ステップＳ１３）。
【００３７】
待ち受け状態においてスケジュール情報登録操作が検出された場合には（ステップＳ１４でＹＥＳ）、ユーザによるスケジュール情報登録の操作が行われると（ステップＳ１５）、図４に示すスケジュール情報メモリＳＣにスケジュール情報を記憶するスケジュール情報登録処理が行われる（ステップＳ１６）。
【００３８】
また、待ち受け状態においてチェックイン操作が検出された場合には（ステップＳ１７でＹＥＳ）、チェックイン実行処理として非接触ＩＣ部１１０とチェックイン装置３００の非接触ＩＣ部３０４との間で非接触通信を確立し、チェックイン装置３００の通信部３０３と電子チケットサービス管理装置２００の通信部２０３との間で通信を確立し、図２に示す予約情報メモリＲＩに記憶されている予約情報と電子チケットサービス管理装置２００の記憶部２０２に記憶されている予約情報が一致した場合は、予約を実行する（ステップＳ１８）。
続いて、実行された予約Ｎｏ．を図３（Ａ）に示す実行予約メモリＥＲに記憶し（ステップＳ１９）、電源オフフラグＰＦの値が１であるか否かを判別し（ステップＳ２０）、電源オフフラグＰＦの値が１の場合は、予約実行フラグＲＦに１をセットし（ステップＳ２１）、時計部１０９による計時を開始する（ステップＳ２２）。
この電源オフフラグＰＦはチェックイン、或いは後述する施設入場、スケジュールアラームの報知がされた場合に電源オフする否かを判別するために使用される。
一方、電源オフフラグＰＦの値が１でない場合は、後述するステップＳ３６〜Ｓ３８の処理を行う。
【００３９】
待ち受け状態において特定施設への入場操作が検出された場合には（ステップＳ２３でＹＥＳ）、入場処理として非接触ＩＣ部１１０と入場装置５００の非接触ＩＣ部５０３との間で非接触通信の確立し、入場が許可される（ステップＳ２４）。
続いて、入場装置５００の記憶部５０２に記憶されている施設対応情報を取得し（ステップＳ２５）、電源オフフラグＰＦの値が１であるか否かを判別し（ステップＳ２６）、電源オフフラグＰＦの値が１の場合は、入場フラグＥＦに１をセットし（ステップＳ２７）、時計部１０９による計時を開始する（ステップＳ２２）。
一方、電源オフフラグＰＦの値が１でない場合は、後述するステップＳ４２〜Ｓ４４の処理を行う。
【００４０】
また、待ち受け画面において報知時刻に該当するアラーム通知フラグＡＦの値が１のスケジュール情報が検出されたばあいには（ステップＳ２８）、報知部１０８を駆動させてアラームメロディなどを発生させる報知処理を行い（ステップＳ２９）、電源オフフラグＰＦの値が１であるか否かを判別し（ステップＳ３０）、電源オフフラグＰＦの値が１の場合は、スケジュールフラグに１をセットし（ステップＳ３１）、時計部１０９による計時を開始する（ステップＳ２２）。
一方、電源オフフラグＰＦの値が１でない場合は、後述するステップＳ４７〜Ｓ４９の処理を行う。
【００４１】
待ち受け状態において電源オフの操作が検出された場合には（ステップＳ３２でＹＥＳ）、予約実行フラグＲＦの値が１であるか否かを判別し（ステップＳ３３）、予約実行フラグＲＦの値が１の場合は時計部１０９による計時を終了し（ステップＳ３４）、計時した時間が図３（Ｂ）に示す制限時間メモリＬＴに記憶されている制限時間以下であるか否かを判別する。ここで制限時間以下である場合（ステップＳ３５でＹＥＳ）、と上述したステップＳ２０でＮＯの場合に、図３（Ａ）に示す実行予約メモリＥＲに記憶されている実行予約Ｎｏ．の予約情報を図２に示す予約情報メモリＲＩから参照して図５（Ａ）に示すようにメモリ性を有する表示部１０６に表示し（ステップＳ３６）、予約実行フラグＲＦに０をセットして（ステップＳ３７）、携帯電話機１００の電源をオフする（ステップＳ３８）。
【００４２】
このように例えば制限時間を３０分とした場合、予約実行のチェックインを行い、計時を開始してから３０分以内の場合は、チェックインしたことに伴い電源オフしたと判定し予約情報を、メモリ性を有する表示部に表示することで、電源オフしても表示部１０６に予約情報が残るため、電源オンすることなく予約情報を確認することができる。
【００４３】
一方、計時時間が制限時間を超える場合は（ステップＳ３５でＮＯ）、予約実行フラグＲＦに０をセットし（ステップＳ３７）、携帯電話機１００の電源をオフする（ステップＳ３８）。
この場合は、チェックインしたことに伴い電源オフしたのではないと判定し予約情報を、メモリ性を有する表示部１０６には表示しない。
【００４４】
予約実行フラグＲＦの値が１でない場合は（ステップＳ３３でＮＯ）、入場フラグＥＦの値が１であるか否かを判別し（ステップＳ４０）、入場フラグＥＦの値が１の場合は時計部１０９による計時を終了し（ステップＳ４１）、計時した時間が図３（Ｂ）に示す制限時間メモリにＬＴ記憶されている制限時間以下であるか否かを判別する。ここで制限時間以下である場合（ステップＳ４２でＹＥＳ）、と上述したステップ２６でＮＯの場合に、入場装置５００より取得した施設対応情報を図５（Ｂ）に示すように表示部に表示し（ステップＳ４３）、入場フラグＥＦに０をセットして（ステップＳ４４）、携帯電話機１００の電源をオフする（ステップＳ３８）。
【００４５】
このように例えば制限時間を３０分とした場合、特定施設へ入場し、計時を開始してから３０分以内の場合は、特定施設に入場したことに伴い電源オフしたと判定し、取得した施設対応情報を、メモリ性を有する表示部に表示することで、電源オフしても表示部１０６に施設対応情報が残るため、電源オンすることなく施設対応情報を確認することができる。
【００４６】
一方、計時時間が制限時間を超える場合は（ステップＳ４２でＮＯ）、入場フラグＥＦに０をセットし（ステップＳ４４）、携帯電話機１００の電源をオフする（ステップＳ３８）。
この場合は、特定施設に入場したことに伴い電源オフしたのではないと判定し施設対応情報を、メモリ性を有する表示部１０６には表示しない。
【００４７】
さらに、入場フラグＥＦの値が１でない場合は（ステップＳ４０でＮＯ）、スケジュールフラグＳＦの値が１であるか否かを判別し（ステップＳ４５）、スケジュールフラグＳＦの値が１の場合は時計部１０９による計時を終了し（ステップＳ４６）、計時した時間が図３（Ｂ）に示す制限時間メモリＬＴに記憶されている制限時間以下であるか否かを判別する。
ここで制限時間以下である場合（ステップＳ４７でＹＥＳ）、と上述したステップ３１でＮＯの場合に、図６に示すスケジュール情報メモリからスケジュール表示データを図５（Ｃ）に示すように表示部に表示し（ステップＳ４８）、スケジュールフラグＳＦに０をセットして（ステップＳ４９）、携帯電話機１００の電源をオフする（ステップＳ３８）。
【００４８】
このように例えば制限時間を５分とした場合、スケジュールアラーム報知後、計時を開始してから５分以内の場合は、スケジュールを確認したことに伴い電源オフしたと判定し、対応するスケジュール情報を、メモリ性を有する表示部に表示することで、電源オフしても表示部１０６にスケジュール情報が残るため、電源オンすることなくスケジュール情報を確認することができる。
【００４９】
一方、計時時間が制限時間を超える場合は（ステップＳ４７でＮＯ）、スケジュールフラグＳＦに０をセットし（ステップＳ４９）、携帯電話機１００の電源をオフする（ステップＳ３８）。
この場合は、スケジュールを確認したことに伴い電源オフしたのではないと判定しスケジュール情報を、メモリ性を有する表示部１０６には表示しない。
【００５０】
また、待ち受け状態において電池残量が図３（Ｃ）に示す電源オフ閾値メモリＰＯに記憶されている電源オフ閾値より小さいと検出された場合には（ステップＳ３９でＹＥＳ）、ステップＳ３３に移行し、以降上述したステップＳ３３からステップＳ４９の処理を行う。
【００５１】
待ち受け状態において、電源オフフラグＰＦの設定を行う電源オフ設定操作が検出された場合には（ステップＳ５０でＹＥＳ）、ユーザによる電源オフ設定の操作が行われると（ステップＳ５１）、操作された設定の登録を行う電源オフ設定登録処理が行われる（ステップＳ５２）。
【００５２】
また、待ち受け状態において何らかの操作が行われた場合には（ステップＳ５３でＹＥＳ）、操作に応じた処理が行われる（ステップＳ５４）。例えば、ユーザ操作に応じて任意の時計時刻を設定する処理、音声電話発信処理などが行われる。
【００５３】
以上のように、この実施形態において、所定の処理が実行されている状態で携帯端末装置が電源オフされた場合に所定の処理に対応する情報を、メモリ性を有する表示手段に表示するようにしたことにより、ユーザ操作等により電源をオフした場合でも所定の処理に対応する情報が表示手段に残り、確認のため電源をオンすることなく情報を確認することができる。
【００５４】
また、所定の処理が実行され、対応する情報を取得し、メモリ性を有する表示手段に表示した後電源オフするようにしたことにより、特定の処理実行後、電源オフを求められる場合であっても、電源オフ操作を忘れても自動で電源オフされ、更に対応する情報が表示手段に残り、確認のため電源オンをすることなく情報を確認することができる。
【００５５】
更に、所定の処理を通信としたことで、通信が実行された状態で通信の実行に対応する情報を、メモリ性を有する表示手段に表示するようにしたことにより、電源をオフしても対応する情報が表示手段に残り、確認のため電源をオンすることなく情報を確認することができる。
【００５６】
更に、所定の処理を、非接触通信を介して所定の予約を実行するようにしたことで、例えば、飛行機やコンサート等の予約が実行された状態で予約の実行に対応する情報を、メモリ性を有する表示手段に表示するようにしたことにより、電源をオフしても対応する情報が表示手段に残り、確認のため電源をオンすることなく情報を確認することができる。
【００５７】
また、所定の処理を、非接触通信を介して特定施設へ入退場するようにしたことで、例えば、飛行機への搭乗やコンサート会場への入場が実行された状態で入退場の実行に対応する情報を、メモリ性を有する表示手段に表示するようにしたことにより、電源をオフしても対応する情報が表示手段に残り、確認のため電源をオンすることなく情報を確認することができる。
【００５８】
更に、所定の処理に対応する情報を記憶するようにしたことで、対応する情報を他から取得する必要がない。
【００５９】
また、所定の処理に対応する情報を取得するようにしたことで、対応する情報を自携帯端末装置に記憶する必要がない。
【００６０】
更に、所定の処理が実行されてからから所定時間以内に携帯端末装置が電源オフしたか否かを判定するようにしたことにより、例えば、飛行機への搭乗やコンサート会場への入場等で電源オフを求められる状況であると判断された場合のみ、所定の処理対応する情報を、メモリ性を有する表示手段に残し確認できる。
【００６１】
更に、電池残量があらかじめ設定された値を下回る場合に、メモリ性を有する表示手段に所定の処理に対応する情報を表示してから電源オフするようにしたことにより、携帯端末装置保護のために強制電源オフした場合でも、メモリ性を有する表示手段に情報が残り、確認することができる。
【００６２】
なお、上述した各実施形態は携帯電話機に限らず、例えば、ＰＤＡ、デジタルカメラ、電子腕時計、音楽再生機などの携帯端末装置であっても同様に適用可能である。
【図面の簡単な説明】
【００６３】
【図１】携帯端末装置として適用した携帯電話機の基本的な構成要素を含むシステムのブロック図。
【図２】予約情報メモリＲＩを説明するための図。
【図３】（Ａ）〜（Ｃ）は、実行予約メモリＥＲ、制限時間メモリＬＴ、電源オフ閾値メモリＰＯを説明するための図。
【図４】スケジュール情報ＳＣを説明するための図。
【図５】（Ａ）〜（Ｃ）は、予約実行のチェックインを行った予約情報を表示させた場合、施設入場を行った際に取得した施設対応情報を表示させた場合、スケジュール情報を表示させた場合の表示例。
【図６】電源投入に伴って実行開始される携帯電話機の全体動作を示したフローチャート。
【図７】図６に続く動作を示したフローチャート。
【図８】図７に続く動作を示したフローチャート。
【図９】図８に続く動作を示したフローチャート。
【符号の説明】
【００６４】
１０１  携帯電話機の制御部
１０３  携帯電話機の記憶部
１０４  携帯電話機の通信部
１０６  携帯電話機の表示部
１０７  携帯電話機の操作部
１０８  携帯電話機の報知部
１０９  携帯電話機の時計部
１１０  携帯電話機の非接触ＩＣ部
２０１  電子チケットサービス管理装置の制御部
２０２  電子チケットサービス管理装置の通信部
２０３  電子チケットサービス管理装置の記憶部
３０１  チェックイン装置の制御部
３０２  チェックイン装置の通信部
３０３  チェックイン装置の記憶部
３０４  チェックイン装置の非接触ＩＣ部
４００  ネットワーク
５０１  チェックイン装置の制御部
５０２  チェックイン装置の記憶部
５０３  チェックイン装置の非接触ＩＣ部
【図１】
0005077675.tif 000002
【図２】
0005077675.tif 000003
【図３】
0005077675.tif 000004
【図４】
0005077675.tif 000005
【図５】
0005077675.tif 000006
【図６】
0005077675.tif 000007
【図７】
0005077675.tif 000008
【図８】
0005077675.tif 000009
【図９】
0005077675.tif 000010